(57)【要約】【課題】  タッチパネルモジュールの提供。【解決手段】  使用者の接触によりタッチコントロール信号を発生するタッチコントロールユニット（１）、該タッチコントロール信号を受け取り保存し並びに命令信号に変換するメモリユニット（２）、及び命令信号を受け取り並びにコンピュータ（５）に伝送して動作を実行させる命令ユニット（４１）を具え、使用者がパネルに接触した後の入力信号によりコンピュータ（５）の動作を制御するタッチパネルモジュールにおいて、  該タッチコントロールユニット（１）と命令ユニット（４１）がバス（３ａ，３ｂ）で共にバスシート（３１）に接続されて単一モジュールに整合され、且つ該バスシート（３１）の別端に別のバス（３）により命令ユニット（４１）が接続されたことを特徴とする。【選択図】        図６
2005141494.tif 000002
【特許請求の範囲】
【請求項１】
使用者の接触によりタッチコントロール信号を発生するタッチコントロールユニット（１）、該タッチコントロール信号を受け取り保存し並びに命令信号に変換するメモリユニット（２）、及び命令信号を受け取り並びにコンピュータ（５）に伝送して動作を実行させる命令ユニット（４１）を具え、使用者がパネルに接触した後の入力信号によりコンピュータ（５）の動作を制御するタッチパネルモジュールにおいて、
該タッチコントロールユニット（１）と命令ユニット（４１）がバス（３ａ，３ｂ）で共にバスシート（３１）に接続されて単一モジュールに整合され、且つ該バスシート（３１）の別端に別のバス（３）により命令ユニット（４１）が接続されたことを特徴とする、タッチパネルモジュール。
【請求項２】
請求項１記載のタッチパネルモジュールにおいて、メモリユニット（２）がメモリユニットモジュール、ロジックユニットモジュール、シングルチップモジュール、マルチシングルチップモジュール或いはデジタル信号処理モジュールのいずれかとされたことを特徴とする、タッチパネルモジュール。
【請求項３】
請求項１記載のタッチパネルモジュールにおいて、命令ユニット（４１）がメモリユニットモジュール、ロジックユニットモジュール、シングルチップモジュール、マルチシングルチップモジュール或いはデジタル信号処理モジュールのいずれかとされたことを特徴とする、タッチパネルモジュール。
【請求項４】
請求項１記載のタッチパネルモジュールにおいて、各バス（３，３ａ，３ｂ）がフレキシブルバスとされたことを特徴とする、タッチパネルモジュール。
【請求項５】
請求項４記載のタッチパネルモジュールにおいて、各バス（３，３ａ，３ｂ）が硬質バスとされたことを特徴とする、タッチパネルモジュール。
【請求項６】
請求項１記載のタッチパネルモジュールにおいて、バスシート（３１）が多層コネクタとされたことを特徴とする、タッチパネルモジュール。
【請求項７】
請求項１記載のタッチパネルモジュールにおいて、バスシート（３１）の命令ユニット（４１）との接続端に多層スロット（３２）が設けられたことを特徴とする、タッチパネルモジュール。
【請求項８】
請求項７記載のタッチパネルモジュールにおいて、命令ユニット（４１）がコントローラ（４）の上に位置決めされ、且つコントローラ（４）に多層スロット（３２）に対応して多層ピン（４２）が配置されたことを特徴とする、タッチパネルモジュール。
【請求項９】
請求項１記載のタッチパネルモジュールにおいて、メモリユニット（２）に接続されるバス（３ｂ）がメモリユニット（２）にはんだ付けされる上バス（３１１）と下バス（３１２）を具え、且つ下バス（３１２）がメモリユニット（２）のピンに対応して中部配線エリアと二側部配線エリアに分割され、並びに上バス（３１１）に中部配線エリアと二側部配線エリアに対応して接点（３１３、３１４、３１５、３１６、３１７、３１８）が設けられたことを特徴とする、タッチパネルモジュール。
【発明の詳細な説明】
【技術分野】
【０００１】
本発明は一種のタッチパネルモジュールに係り、特に、使用者がタッチパネルに接触して命令を実行する時、接触点の命令をコードに変換してコンピュータに入力し命令に関係する動作を行なわせる該タッチパネルモジュールに関する。
【背景技術】
【０００２】
触覚は、視覚、聴覚のほかの、人とコンピュータのコミュニケーションの第３の媒体である。コンピュータの用途がますます広くなるにつれ、コンピュータで処理するデータは不断に増加し、キーボードとマウスより得られるデータ、及びスクリーンで出力するデータは緩慢で、センサ技術の不断の発展に伴い、現在タッチ式センサは人とコンピュータのコミュニケーションツールとして発展を遂げている。
【０００３】
タッチ式ヒューマン・マシンインタフェースであるタッチパネルに較べ、伝統的な入力ツールであるキーボードとマウスがコンピュータに不慣れな者にとって複雑すぎてコンピュータの異なる階層における全面普及化に一定の障害を形成する。研究によると、人類の事物に対する最も原始的な反応は事物を指向することで、ゆえに科学者はタッチパネルを発展させた。タッチパネルはその個人化された入力インタフェースの特性により、教育、学習不要で直接手指或いはタッチペンで画面上の機能支持点をクリックするだけでよく、応用範囲は非常に広く、例えば、ｅＢｏｏｋ、ＧＰＳ、ＰＤＡ、ＷｅｂＰｈｏｎｅ：Ｍｉｎｉ  ｎｏｔｅｂｏｏｋ、Ｗｅｂ  Ｐａｄ、Ｈａｎｄ−ｈｅｌｄ  ＰＣ等に使用される。
【０００４】
図１、２は周知のフローと構造表示図である。タッチパネルは導電ガラスと導電薄膜で構成されたガラスパネルを利用し、使用者がタッチパネルに実際に接触する方式で、命令を書き込みの方式で入力する。使用者が軽く、高い敏感度を有するタッチコントロールユニット（１）に接触するだけで、タッチコントロールユニット（１）が圧接動作に対応する検出信号を取り出し、逐一一つの実行命令（４１１）を形成し、コンピュータ（５）の動作を要求及び制御する。現在ある構造については、メモリユニット（２）と命令ユニット（４１）が整合されてコントローラ（４）とされ、タッチパネルモジュールはタッチコントロールユニット（１）とコントローラ（４）が組み合わされてなる。該タッチパネルモジュールはバス（３）を利用してコンピュータ（５）のインタフェースに接続される。
【０００５】
上述のメモリユニット（２）は非揮発性のＥＥＰＲＯＭとされ、それは常態データの保存部分とされ、存在する記憶効果はメモリユニット（２）内に長時間保存可能で、電源の停止によってもデータが消失せず、並びに随時メモリユニット（２）内部のデータを更新でき、メモリユニット（２）内部の記憶機能は、現在ＰＤＡ上で任意に電話と日付を更新できる機能、或いは携帯電話内部のＳＩＭカードと同様であり、ゆえにメモリユニット（２）内部の記憶効果はタッチコントロールユニット（１）が接触により発生する異なる入力信号により異なり、このため、タッチコントロールユニット（１）とメモリユニット（２）は共同で同じ記憶効果を共有する必要があり、ゆえに一般の業者がタッチコントロールユニット（１）を使用する時は、コントローラ（４）と接続して共に使用する必要があり、もしタッチコントロールユニット（１）のみを使用して、コントローラ（４）に他のメーカーの製品を使用したり、或いはコントローラ（４）だけを使用し、他のメーカーのタッチコントロールユニット（１）を使用すると、タッチコントロールユニット（１）とコントローラ（４）は必ずしも同じ記憶効果を有していないので、エラー命令を出力したり信号判別不能の状況が発生しうる。すなわち、両者が同じ記憶効果を有していなければタッチパネルモジュールを有効に使用することができず、また各メーカーが自社製品に対して提供する機能も同じではなく、コントローラ（４）の定義する関係機能もそれぞれ異なる。しかし、現在、単純にタッチコントロールユニット（１）を購入し、自分でコントローラ（４）を定義する方法が採用されているため、同じ記憶効果を有し且つメーカーのコントローラ（４）の自己定義に供することができる設計をいかに整合させるかが、関係業者の研究開発の主要な課題となっている。
【発明の開示】
【発明が解決しようとする課題】
【０００６】
本発明は周知のタッチパネルに存在する欠点を鑑み、更に完全なタッチパネルモジュールを提供して、周知の技術の欠点を改良するものである。
【０００７】
即ち、本発明は一種のタッチパネルモジュールを提供することを目的とし、それは、タッチパネルモジュールのタッチコントロールユニット及びメモリユニットをバスでバスシートに接続して整合し単一モジュールとし、且つ該バスシートの別端に別のバスで命令ユニットを接続し、これにより共同記憶効果を具備するタッチパネルモジュールとしたものとする。
【課題を解決するための手段】
【０００８】
請求項１の発明は、使用者の接触によりタッチコントロール信号を発生するタッチコントロールユニット（１）、該タッチコントロール信号を受け取り保存し並びに命令信号に変換するメモリユニット（２）、及び命令信号を受け取り並びにコンピュータ（５）に伝送して動作を実行させる命令ユニット（４１）を具え、使用者がパネルに接触した後の入力信号によりコンピュータ（５）の動作を制御するタッチパネルモジュールにおいて、
該タッチコントロールユニット（１）と命令ユニット（４１）がバス（３ａ，３ｂ）で共にバスシート（３１）に接続されて単一モジュールに整合され、且つ該バスシート（３１）の別端に別のバス（３）により命令ユニット（４１）が接続されたことを特徴とする、タッチパネルモジュールとしている。
請求項２の発明は、請求項１記載のタッチパネルモジュールにおいて、メモリユニット（２）がメモリユニットモジュール、ロジックユニットモジュール、シングルチップモジュール、マルチシングルチップモジュール或いはデジタル信号処理モジュールのいずれかとされたことを特徴とする、タッチパネルモジュールとしている。
請求項３の発明は、請求項１記載のタッチパネルモジュールにおいて、命令ユニット（４１）がメモリユニットモジュール、ロジックユニットモジュール、シングルチップモジュール、マルチシングルチップモジュール或いはデジタル信号処理モジュールのいずれかとされたことを特徴とする、タッチパネルモジュールとしている。
請求項４の発明は、請求項１記載のタッチパネルモジュールにおいて、各バス（３，３ａ，３ｂ）がフレキシブルバスとされたことを特徴とする、タッチパネルモジュールとしている。
請求項５の発明は、請求項４記載のタッチパネルモジュールにおいて、各バス（３，３ａ，３ｂ）が硬質バスとされたことを特徴とする、タッチパネルモジュールとしている。
請求項６の発明は、請求項１記載のタッチパネルモジュールにおいて、バスシート（３１）が多層コネクタとされたことを特徴とする、タッチパネルモジュールとしている。
請求項７の発明は、請求項１記載のタッチパネルモジュールにおいて、バスシート（３１）の命令ユニット（４１）との接続端に多層スロット（３２）が設けられたことを特徴とする、タッチパネルモジュールとしている。
請求項８の発明は、請求項７記載のタッチパネルモジュールにおいて、命令ユニット（４１）がコントローラ（４）の上に位置決めされ、且つコントローラ（４）に多層スロット（３２）に対応して多層ピン（４２）が配置されたことを特徴とする、タッチパネルモジュールとしている。
請求項９の発明は、請求項１記載のタッチパネルモジュールにおいて、メモリユニット（２）に接続されるバス（３ｂ）がメモリユニット（２）にはんだ付けされる上バス（３１１）と下バス（３１２）を具え、且つ下バス（３１２）がメモリユニット（２）のピンに対応して中部配線エリアと二側部配線エリアに分割され、並びに上バス（３１１）に中部配線エリアと二側部配線エリアに対応して接点（３１３、３１４、３１５、３１６、３１７、３１８）が設けられたことを特徴とする、タッチパネルモジュールとしている。
【発明の効果】
【０００９】
本発明は一種のタッチパネルモジュールを提供しており、それは、タッチパネルモジュールのタッチコントロールユニット及びメモリユニットをバスでバスシートに接続して整合し単一モジュールとし、且つ該バスシートの別端に別のバスで命令ユニットを接続し、これにより共同記憶効果を具備するタッチパネルモジュールとしたものである。
【発明を実施するための最良の形態】
【００１０】
図３、４、５に示されるように、本発明のタッチパネルモジュールは、使用者の接触を受けてタッチコントロール信号を発生するタッチコントロールユニット（１）、該タッチコントロール信号を受け取り保存し並びに命令信号に変換するメモリユニット（２）、及び命令信号を受け取り並びにコンピュータ（５）に伝送して動作を実行させる命令ユニット（４１）を具えている。該命令ユニット（４１）はコントローラ（４）の上に位置決めされている。このタッチパネルモジュールにより使用者がパネルに接触した後の入力信号によりコンピュータ（５）の動作が制御される。前述のタッチコントロールユニット（１）とメモリユニット（２）は、フレキシブル或いは硬質のバス（３ａ，３ｂ）でバスシート（３１）に接続されて単一モジュールとして整合され、且つ該バスシート（３１）の別端に別にバス（３）で命令ユニット（４１）が接続される。
【００１１】
上述のタッチコントロールユニット（１）は、使用者が接触するタッチコントロール信号を受け取るタッチパネルを具え、使用者が軽くタッチコントロールユニット（１）に接触する時、タッチコントロールユニット（１）が即刻使用者の接触のタッチコントロール信号を受け取り、命令ユニット（４１）に伝送し（命令ユニット（４１）はメモリユニットモジュール、ロジックユニットモジュール、シングルチップモジュール、マルチシングルチップモジュール或いはデジタル信号処理モジュールとされうる）、並びにメモリユニット（２）の補助によりタッチコントロール信号がコード変換されて実行命令（４１１）とされる（メモリユニット（２）はメモリユニットモジュール、ロジックユニットモジュール、シングルチップモジュール、マルチシングルチップモジュール或いはデジタル信号処理モジュールとされうる）。タッチコントロールユニット（１）とメモリユニット（２）はバス（３ａ，３ｂ）で共に前述のバスシート（３１）に接続され、並びに単一モジュールに整合される。そのうち、メモリユニット（２）に接続されたバス（３ｂ）はメモリユニット（２）のはんだ付けに供される上バス（３１１）と下バス（３１２）を具え、且つ下バス（３１２）はメモリユニット（２）のピンに対応して中部配線エリアと二側部配線エリアに区分され、並びに上バス（３１１）に該中部配線エリアと該二側部配線エリアに対応して接点（３１３、３１４、３１５、３１６、３１７、３１８）が設けられている。メモリユニット（２）は上バス（３１１）の配線方式でバスシート（３１）と接続されるほか、メモリユニット（２）の上バス（３１１）がゴールデンフィンガーとされて直接バスシート（３１）に挿入される形態も可能である（図４）。メモリユニット（２）は停電により入力信号を消去することがなく、タッチコントロールユニット（１）の書き込んだ入力信号はメモリユニット（２）内部のタイミングステップにより、命令ユニット（４１）に順序よく実行命令（４１１）を読み出させる。本実施例のバスシート（３１）は多層コネクタ形式とされ、該実行命令（４１１）の伝送方式は、該バスシート（３１）の別端に多層スロット（３２）が設けられ、並びにコントローラ（４）の対応する多層ピン（４２）と接続され、これにより実行命令（４１１）が確実にメモリロジックユニットモジュール（或いはシングルチップモジュール）とされる命令ユニット（４１）に伝送され、且つ命令ユニット（４１）が該メモリユニット（２）の伝送した命令（２１１）と自身の実行命令（４１１）を整合させた後、該コントローラ（４）の別端のバス（３）によりコンピュータ（５）インタフェースに送り、コンピュータ（５）に命令に関係する動作を行なわせる。命令（２１１）は命令ユニット（４１）内部のプログラムコードの部分とされ、電源の消失により命令（２１１）が消去することはないが、実行命令（４１１）はメモリユニット（２）より読み出され、ゆえに実行命令（４１１）は電源の消失により消失する。
【００１２】
図３、５に示されるように、該メモリユニット（２）は８ピンのメモリモジュールとされ、並びに三線式ピンが運用されて命令ユニット（４１）の動作を要求し、該三線式ピンはそれぞれデータシーケンス（ＳＫ）（２２）、データ入力（ＤＩ）（２３）、及びデータ出力（ＤＯ）（２４）の３本の基本のピンであり、それは接点（３１５，３１６，３１７）に接続される。このほか、三本のピンがチップ選択（ＣＳ）（２１）、接地（ＧＮＤ）（２５）と電源（ＶＣＣ）（２６）とされ、それぞれ接点（３１４，３１８，３１３）に接続され、並びに六線式の回路レイアウトを構築する。そのうち、メモリユニット（２）に接続されたバス（３ｂ）はメモリユニット（２）のはんだ付けに供される上バス（３１１）と下バス（３１２）を具え、且つ下バス（３１２）はメモリユニット（２）のピンに対応して中部配線エリアと二側部配線エリアに分けられ、並びに上バス（３１１）に対応する中部配線エリア及び二側部配線エリアに接点（３１３、３１４，３１５，３１６，３１７，３１８）が設けられている。
【００１３】
図６は本発明のもう一つの実施例表示図であり、該メモリユニット（２）はシリアル式メモリユニット（６）とパラレル式メモリユニット（７）に分けられ、タッチパネルモジュールが応用される装置が大量のデータ伝送を行なわない場合は、通常シリアル式メモリユニット（６）が採用され、膨大な量のデータ伝送を行なう場合は、パラレル式メモリユニット（７）が採用される。これにより、シリアル式メモリユニット（６）の伝送データは１パケットずつ伝送され、パラレル式メモリユニット（７）は複数のパケットを一緒に伝送でき、ゆえにパラレル式メモリユニット（７）のデータ伝送速度はシリアル式メモリユニット（６）の伝送速度よりはるかに高く、これにより、メモリユニット（２）はデータ量により選択することができる。
【図面の簡単な説明】
【００１４】
【図１】周知のタッチパネルモジュールの動作フロー表示図である。
【図２】周知のタッチパネルモジュールの構造表示図である。
【図３】本発明の動作フロー表示図である。
【図４】本発明の構造表示図である。
【図５】本発明のメモリユニットの回路レイアウト図である。
【図６】本発明の別の実施例表示図である。
【符号の説明】
【００１５】
（１）タッチコントロールユニット
（２）メモリユニット
（２１１）命令
（２２）データシーケンス（ＳＫ）
（２３）データ入力（ＤＩ）
（２４）データ出力（ＤＯ）
（２１）チップ選択（ＣＳ）
（２５）接地（ＧＮＤ）
（２６）電源（ＶＣＣ）
（３）バス
（３ａ，３ｂ）バス
（３１）バスシート
（３１１）上バス
（３１２）下バス
（３１３、３１４、３１５、３１６、３１７、３１８）接点
（３２）多層スロット
（４）コントローラ
（４１）命令ユニット
（４１１）実行命令
（４２）多層ピン
（５）コンピュータ
（６）シリアル式メモリユニット
（７）パラレル式メモリユニット
【図１】
2005141494.tif 000003
【図２】
2005141494.tif 000004
【図３】
2005141494.tif 000005
【図４】
2005141494.tif 000006
【図５】
2005141494.tif 000007
【図６】
2005141494.tif 000008